(57)【要約】      （修正有）【課題】ダイカスト製品中に鋳ぐるまれた鉄系インサート金具の有無を簡単な構成でもって確実に検出しえる検出器を提供する。【解決手段】ダイカスト製品Ａに鋳込まれた鉄系インサート金具に反応したときにのみ、ダイカスト製品Ａに対して近接する方向に移動するマグネット２と、当該マグネット２に対してダイカスト製品Ａから離間する方向に反発力を作用させるとともに、マグネット２が上記インサート金具に反応した動作に伴ってダイカスト製品Ａに対して近接させる方向に収縮又は伸長するスプリング部材３と、マグネット２のダイカスト製品Ａに対する近接・離間に伴ってＯＮ・ＯＦＦされるスイッチ４を備えてなる。【選択図】図２
0003119128.tif 000002
【実用新案登録請求の範囲】
【請求項１】
ダイカスト製品に鋳込まれた鉄系のインサート金具に反応したときにのみ、ダイカスト製品に対して近接する方向に移動するマグネットと、当該マグネットに対してダイカスト製品から離間する方向に反発力を作用させるとともに、マグネットが上記インサート金具に反応した動作に伴ってダイカスト製品に対して近接させる方向に収縮又は伸長するスプリング部材と、マグネットのダイカスト製品に対する近接・離間に伴ってＯＮ・ＯＦＦされるスイッチを備えてなるダイカスト製品におけるインサート金具の検出器。
【請求項２】
前記マグネットの前方位置に、前記ダイカスト製品が当該マグネットに接触するのを防止する接触防止板を前後方向に進退自在に設け、該接触防止板にダイカスト製品を当接させてインサート金具の検出を行なうことを特徴とする請求項１に記載のインサート金具の検出器。
【考案の詳細な説明】
【技術分野】
【０００１】
本考案は、ダイカスト製品に鋳込まれた特に鉄系インサート金具の有無を検出する検出器に関し、詳しくは、ダイカスト製品の内部に完全に鋳ぐるまれて外観上、視認が困難なインサート金具の有無を検出するのに好適な検出器に関する。
【背景技術】
【０００２】
従来、アルミ材、亜鉛材、マグネシウム材やこれらの合金等を用いて成型されるダイカスト製品に鋳ぐるまれるインサート金具の有無を検出する際において、作業者が目視により行ったり、作業者がマグネットをダイカスト製品に近づけ、マグネットのインサート金具に対する反応の有無により行ったりしている。
【考案の開示】
【考案が解決しようとする課題】
【０００３】
しかしながら、前記従来のインサート金具の検出方法は、成型時に生じる「ばり」によってインサート金具の目視が困難であったり、マグネットのインサート金具に対する反応を感じるのに作業者個人で差が出てしまったりということから、ダイカスト製品中のインサート金具の有無を判別することに関してその確実性の向上が求められている。
本願出願人は、ダイカスト製品中の特に鉄系インサート金具の有無を判別することに関してその確実性を向上させるという観点から、鋭意研究の結果、本願考案に至ったものである。
なお、ダイカスト製品中の鉄系インサート金具の有無を判別することに関してその確実性を向上させる先行技術文献情報については、本願出願人の知る限りにおいて存在していない。
【０００４】
本考案は、ダイカスト製品中の鉄系インサート金具の有無を判別することに関してその確実性の向上を課題とし、この課題を解決したダイカスト製品におけるインサート金具の検出器の提供を目的とする。
【課題を解決するための手段】
【０００５】
本考案は、上記目的を達成するために下記の技術的手段を採用した。
その第１考案は、ダイカスト製品に鋳込まれた鉄系のインサート金具に反応したときにのみ、ダイカスト製品に対して近接する方向に移動するマグネットと、当該マグネットに対してダイカスト製品から離間する方向に反発力を作用させるとともに、マグネットが上記インサート金具に反応した動作に伴ってマグネットをダイカスト製品に対して近接させる方向に収縮又は伸長するスプリング部材と、マグネットのダイカスト製品に対する近接・離間に伴ってＯＮ・ＯＦＦされるスイッチを備えてなるダイカスト製品におけるインサート金具の検出器にしたことである（請求項１）。
この際、前記マグネットの前方位置に、ダイカスト製品が当該マグネットに接触するのを防止する接触防止板を前後方向に進退自在に設け、該接触防止板にダイカスト製品を当接させた状態でインサート金具の検出を行なうことことが好ましい（請求項２）。
【０００６】
本考案で云うダイカスト製品とは、例えば、アルミニウム材、亜鉛材、マグネシウム材やこれらの合金等のマグネットの磁気が反応しない金属材を用いて、ダイカストマシンで所定の形状に成形されたダイカスト製品を指す。
【０００７】
本考案で云うスイッチとしては、マグネットのダイカスト製品に対する近接・離間に伴ってＯＮ・ＯＦＦされるスイッチであれば良い。
前記スイッチの形態として、マグネットのダイカスト製品に対する近接・離間に伴うマグネットの位置の変化を検出する位置センサーを備え、そのマグネットの位置を検出することによりＯＮ・ＯＦＦするスイッチ構造のものが例示できる。
このような構造のスイッチとして、例えば、位置センサーに対して、マグネットまたはマグネットに連結された位置指示部が近接(又は接触)することで、マグネットの位置の変化を検出してＯＮ・ＯＦＦする近接(又は接触)スイッチが挙げられる。
【０００８】
また、マグネットの磁力を感知する磁気センサーを備え、マグネットのダイカスト製品に対する近接・離間に伴って、前記磁気センサーに対してマグネットを近接(又は接触)・離間させることで、そのマグネットの磁気を磁気センサーに感知・不感知させてＯＮ・ＯＦＦするスイッチ構造のものが例示できる。
【０００９】
更に、マグネットのダイカスト製品に対する近接・離間の動作の際に、ＯＮ・ＯＦＦが交互に切り替わるリミットスイッチ構造のものが例示できる。
また、スイッチは、例えば、ＯＮ又はＯＦＦされたことをランプやブザー等と電気的に配線することにより、インサート金具の有無を視覚的または聴覚的に知らせることができる。
また、前記スイッチにおけるインサート金具の検出は、ＯＮの場合にインサート金具が検出されるようにしても良いし、ＯＦＦの場合にインサート金具が検出されるようにしても良い。
【００１０】
本考案で云うスプリング部材は、例えば、圧縮ばね、引張ばね、板ばね等の各種ばね材を用いることができる。
【００１１】
マグネットの磁力は、少なくとも、ダイカスト製品に鋳込まれたインサート金具に反応した際に、前記スプリング部材の反発力に抗してスプリング部材を収縮又は伸長させることができる磁力であって、更には、ダイカスト製品の大きさやインサート金具の鋳込み位置等にかかわらず、インサート金具に反応できる磁力である。
【考案の効果】
【００１２】
本考案のダイカスト製品におけるインサート金具の検出器によれば、下記の優れた効果が期待できる。
請求項１に記載の検出器によれば、インサート金具が鋳込まれた正常のダイカスト製品である場合、マグネットがダイカスト製品に鋳込まれたインサート金具に反応して、その自身の磁力によってスプリング部材の反発力に抗しダイカスト製品に近接し、このマグネットのダイカスト製品に対する近接と同時に、スイッチがＯＮ又はＯＦＦされる。
また、インサート金具が鋳込まれていない不具合品のダイカスト製品である場合、マグネットが反応せず、スプリング部材の反発力によってダイカスト製品から離間した状態を保持し、スイッチのＯＮ又はＯＦＦ状態が保持される。
したがって、ダイカスト製品の不具合品を判別することに関してその確実性の向上を実現したダイカスト製品におけるインサート金具の検出器を提供できる。
【００１３】
また、請求項２に記載の検出器によれば、前記マグネットの前方位置に、ダイカスト製品が当該マグネットに接触するのを防止する接触防止板を前後方向に進退自在に設け、該接触防止板にダイカスト製品を当接させた状態でインサート金具の検出を行なうように構成してなるので、高温のダイカスト製品に接触することによるマグネットの磁力低下防止及び破損防止を期することが出来ると共に、インサート金具の鋳込み位置が異なるダイカスト製品でもマグネットが最適な反応を示す位置に接触防止板を適宜前後方向に移動させることにより的確な検出を期することが出来る。
しかも、マグネットの磁力が強力であっても、ダイカスト製品が直接接触することがないので、検査済みのダイカスト製品を当該検出器から容易に離すことが出来る。
【考案を実施するための最良の形態】
【００１４】
以下、本考案のダイカスト製品におけるインサート金具の検出器を実施するための最良の形態を図面に基づいて説明する。
図中、符号１は検出器、符号２はマグネット、符号３はスプリング部材、符号４はスイッチである。
【００１５】
検出器１は、基本的に前記マグネット２と、スプリング部材３と、スイッチ４とこれらの各部材を支持する支持板５とで構成され、必要に応じて接触防止板６が具備される。
マグネット２は、その後端にスライド軸２２が連結され、当該スライド軸２２は支持板５に固着されたガイド部２３に、前後方向(ダイカスト製品Ａに対して近接・離間する方向)にスライド可能に支持されている。
尚、符号５１は、支持板５をダイカストマシン（図示せず）またはダイカストマシン付近の被固定部（図示せず）に固定するためのビス（図示せず）が貫通するビス孔である。
【００１６】
前記スライド軸２２の後端には、当該スライド軸の前後スライドに伴って、前記スイッチ４に近接及び離間する板状の位置指示部２２ａが固定されている。
また、スライド軸２２には、前記位置指示部２２ａとガイド部２３の後端面との間に前記スプリング部材３が装着されている。
【００１７】
スプリング部材３は、圧縮ばねを用いて、スライド軸２２をスイッチ４方向に付勢するように反発力を作用させるとともに、前記位置指示部２２ａとスイッチ４との間に、一定の距離を保つように装着されている。
【００１８】
本形態のスイッチ４は、前記位置指示部２２ａの近接及び離間により、マグネット２がダイカスト製品Ａに対して近接・離間したことを検出する位置センサーを用いたものであり、位置指示部２２ａがスイッチ４に対して前記一定の距離を保っているときには、マグネット２が動かないので、インサート金具が鋳込まれていない不具合品のダイカスト製品であると検出されてスイッチ４がＯＦＦ状態となる。
逆に、位置指示部２２ａがスイッチ４に対して離間したときには、マグネット２がダイカスト製品Ａに近接する方向にスライドしているので、インサート金具が鋳込まれた正常なダイカスト製品であると検出されてスイッチ４がＯＮ状態となる。
符号４１は、スイッチ４のＯＮ・ＯＦＦを知らせるためのランプやブザー等(図示せず)と電気的に配線されるケーブルである。
【００１９】
そして、接触防止板６は、インサート金具Ｂの有無を検出する際にダイカスト製品Ａがマグネット２に接触するのを防止し且つダイカスト製品Ａをマグネット２に対して最適な反応を示す位置に位置決めするためのもであり、ステンレス材等を用いてマグネット２の前面形状より大きな例えば矩形状をした平板形状に形成し、マグネット２の前方位置に前後方向に進退自在に設け、該接触防止板６にダイカスト製品Ａを当接させた状態でもってインサート金具Ｂの検出を行なうようにする。
接触防止板６をマグネット２の前方位置に前後方向に進退自在に設ける構造としては、接触防止板６に取付けアーム６１を突設せしめ、その取付けアーム６１又は支持板５に取付け用長穴６２を形成し、取付けアーム６１と支持板５を取付け用長穴６２を介してネジ６３で締結する構造が挙げられるが、この構造に限定されるものではない。
【００２０】
而して、本形態の検出器１を用いてダイカスト製品Ａのインサート金具Ｂの有無を検査する場合、予め接触防止板６を前後方向に移動させて、当該接触防止板６に当接させたダイカスト製品Ａに対してマグネット２が最適な反応を示す位置にセットしておき、該接触防止板６にダイカスト製品Ａを当接させた状態でマグネット２と対面させてインサート金具Ｂの検出を行なう。
【００２１】
従って検出器１によれば、インサート金具が鋳込まれた正常なダイカスト製品Ａをマグネット２と対面させると、当該マグネット２がインサート金具に反応してダイカスト製品Ａと近接する方向にスライドし、このマグネット２のスライドに伴って位置指示部２２ａがスイッチ４から離間する（図１〜図２の状態）。
その結果、スイッチ４がＯＮ状態となって、当該ダイカスト製品Ａが正常なものであると検出される。
【００２２】
そして、インサート金具が鋳込まていない不具合品のダイカスト製品Ａがマグネット２と対面しても、当該マグネット２が反応せずに不動状態となるので、位置指示部２２ａのスイッチ４に対する近接状態が保たれる。
よって、スイッチ４がＯＦＦ状態となって、当該ダイカスト製品Ａが不具合品であると検出される。
【００２３】
なお、本考案は、例示した形態に限定するものではなく、実用新案登録請求の範囲に記載された内容から逸脱することなく、他の構成による実施も可能である。
【図面の簡単な説明】
【００２４】
【図１】本考案に係る検出器の実施の一例を示す正面図であり、マグネットがダイカスト製品に対して離間している状態を示す。
【図２】同マグネットがダイカスト製品に対して近接している状態を示す正面図。
【図３】図１の側面図。
【符号の説明】
【００２５】
１：検出器                      ２：マグネット
３：スプリング部材              ４：スイッチ
５：支持板                      ６：接触防止板
２２：スライド軸                ２３：ガイド部
２２ａ：位置指示部
Ａ：ダイカスト製品              Ｂ：インサート金具
【図１】
0003119128.tif 000003
【図２】
0003119128.tif 000004
【図３】
0003119128.tif 000005